(57)【特許請求の範囲】
【請求項１】
下部が水中に設けた管と連通し、上部が水面に向かって起立して延びる中空ピストン管を自在継手を介して傾倒可能に設け、該中空ピストン管の上部外周にピストン部を形成し、該ピストン部の外周に、その上方にシリンダ室を区画するシリンダを上下摺動自在に嵌合し、該シリンダに、そのシリンダを上下動させるためのフロートを設けると共に、そのシリンダとフロートは自在継手を介して接続され、波のエネルギーで作動し、水を送水する波力ポンプにおいて、
上記フロートのほぼ中心部に、一対の支持脚からなるサドルを設け、その一対の支持脚内に外軸を介してリング体をその外側の水平軸回りに回動自在に設け、そのリング体の内周に上記外軸と直交する位置で内軸を設け、そのリング体に、上記シリンダの上端に吊パイプを介して設けられた吊金物を挿通すると共に、その吊金物の外周に突出した回転軸が上記内軸の軸受け部に、挿通させると共に、回動可能に支持し、上記フロートと上記シリンダの角度変化を可能にした自在継手部に、上記吊金物と上記シリンダ上端に設けた吊パイプが嵌合し、上記シリンダの軸心と同心をなし、回動自在に設けられ、上記フロートと上記シリンダが角度変化と、回動自在に設けられたことを特徴とする波力ポンプ。
【請求項２】
下部が水中に設けた管と連通し、上部が水面に向かって起立して延びる中空ピストン管を自在継手を介して傾倒可能に設け、該中空ピストン管の上部外周にピストン部を形成し、該ピストン部の外周に、その上方にシリンダ室を区画するシリンダを上下摺動自在に嵌合し、該シリンダに、そのシリンダを上下動させるためのフロートを設けると共に、そのシリンダとフロートは自在継手を介して接続され、上記シリンダ上部に水を取水するための取水口を設け、波のエネルギーで作動し、水面近傍の水を送水する波力ポンプにおいて、
上記フロートのほぼ中心部に、一対の支持脚からなるサドルを設け、その一対の支持脚内に外軸を介してリング体をその外側の水平軸回りに回動自在に設け、そのリング体の内周に上記外軸と直交する位置で内軸を設け、そのリング体に、上記シリンダの上端に吊パイプを介して設けられた吊金物を挿通すると共に、その吊金物の外周に突出した回転軸が上記内軸の軸受け部に、挿通させると共に、回動可能に支持し、上記フロートと上記シリンダの角度変化を可能にした自在継手部に、上記吊金物と上記シリンダ上端に設けた吊パイプが嵌合し、上記シリンダの軸心と同心をなし、回動自在に設けられ、上記フロートと上記シリンダが角度変化と、回動自在に設けられた自在継手部とを設け、
上記シリンダの上部に、取水口と取水用逆止弁とを設けると共に、波の動揺で上記フロートが動揺し、上記シリンダのシリンダ室が膨張時に上記取水用逆止弁が開き、収縮時に閉じることを特徴とする波力ポンプ。
【請求項３】
下部が水中に設けた管と連通し、上部が水面に向かって起立して延びる中空ピストン管を自在継手を介して傾倒可能に設け、該中空ピストン管の上部外周にピストン部を形成し、該ピストン部の外周に、その上方にシリンダ室を区画するシリンダを上下摺動自在に嵌合し、該シリンダに、そのシリンダを上下動させるためのフロートを設けると共に、そのシリンダとフロートは自在継手を介して接続され、上記シリンダ上部に水を排水するための排水口を設け、波のエネルギーで作動し、水底近傍の低層水を汲み上げて水面近傍に送水する波力ポンプにおいて、
上記フロートのほぼ中心部に、一対の支持脚からなるサドルを設け、その一対の支持脚内に外軸を介してリング体をその外側の水平軸回りに回動自在に設け、そのリング体の内周に上記外軸と直交する位置で内軸を設け、そのリング体に、上記シリンダの上端に吊パイプを介して設けられた吊金物を挿通すると共に、その吊金物の外周に突出した回転軸が上記内軸の軸受け部に、挿通させると共に、回動可能に支持し、上記フロートと上記シリンダの角度変化を可能にした自在継手部に、上記吊金物と上記シリンダ上端に設けた吊パイプが嵌合し、上記シリンダの軸心と同心をなし、回動自在に設けられ、上記フロートと上記シリンダが角度変化と、回動自在に設けられた自在継手部とを設け、
上記シリンダ上部に水を排水するための排水口と、排水用逆止弁とを備え、波の動揺で上記フロートが動揺し、上記シリンダのシリンダ室が膨張時に上記排水用逆止弁が閉じ、収縮時に開くことを特徴とする波力ポンプ。
【発明の詳細な説明】
【０００１】
【発明の属する技術分野】
本発明は、地球温暖化ならびに地球環境破壊、エネルギー資源の枯渇化等が大きな問題となっている今日において、クリーンな自然エネルギーである波のエネルギーを利用して作動させ、海洋やダム、湖沼等の水を送水することで養殖場の給水、海水揚水発電、海水淡水化等を行うことや、閉鎖性水域等で外海水と内海水を換水させて浄化すること、上層水と底層水を循環させて浄化させること、または、湖沼等で叢生する葦等の再奥部にこの湖沼等の底層部に滞留する富栄養化した汚染水を送水し、この水が叢生葦の中を流れ出るその間に、植生の呼吸作用等を利用して水を浄化させることができる高効率の波力ポンプに関するものである。
【０００２】
そして、港湾の換水、海洋及びダム、湖沼、水源等を浄化させることにより、人類の生活に欠かすことのできない魚介類や海藻類等の水産資源、ならびに飲料水等の水資源を確保することや、冷水ならびに海水中の植物プランクトンや、海藻類等による二酸化炭素の吸収効果から生じる地球温暖化防止対策等の分野にも関するものである。
【０００３】
【従来の技術】
港湾等、外洋から隔離されて一部閉鎖されている水域にあっては、水の流れが緩慢で水面と水底の水が混ざり難いため、水底近傍に形成される層（以下、底層という）に酸素が行き届かずに澱みやすい。また、水面近傍に形成される層（以下、上層という）にはプランクトンの成長に欠かせない栄養が乏しくなりがちである。
【０００４】
このため、上述のような閉鎖性水域等にあっては上層水と底層水とを混合することが望まれている。
【０００５】
一方、自然エネルギーを利用したもので海水等の送水手段としては、波力を利用して送水する「波力ポンプ」（特公平８−６６７７号公報）が一般的に知られている。この波力ポンプ９０は、図１１に示すように、水中に支持されたシリンダ９１の中にピストン９２を上下摺動自在に配置し、このピストン９２を、チェーン９３を介して連結されたフロート９４で上下動させて送水するものである。
【０００６】
波力ポンプ９０は、波の上下動を利用して作動するものであるため、石油等環境汚染につながるエネルギー源を一切必要とせず、一旦設置した後は半永久的に作動しつづける特徴をもつ非常に優れた波力ポンプである。
【０００７】
よって、閉鎖性水域等の上層水と底層水とを混合する送水手段として波力ポンプ９０を用いた場合、安価な費用で半永久的に上層水と底層水とを混合し続けることが期待できる。
【０００８】
【発明が解決しようとする課題】
しかしながら、この波力ポンプ９０で上層水を取水するためには、取水口を水面近くに位置させなくてはならないため、取水管９５を水面近傍に届く長さに形成すると共に別個のブイ等に吊らなければならない。また、これとは逆に底層水を上層水に送水する場合にも同じことが言える。このため、装置全体が雑然となると共に送水効率が落ち、製作費もかさむという課題がある。
【０００９】
また、このポンプはフロート９４の力をチェーン９３を介してピストン９２に伝えているために、チェーン等の磨耗が激しく破壊されやすいという課題があった。
【００１０】
つぎに、このポンプはチェーン等でフロートを係留しているために防波堤等のコンクリートケーソンの中に組み込むにはポンプ出力の割りにコンクリートケーソンが大きくなり過ぎる等の問題もあった。
【００１１】
そして、シリンダ９１の外周にジョイントリングのリング管９６が形成されているために、これに対する曲げモーメントやねじりモーメント等の強度上の問題だけでなく、この中を流れる流体の脈動流による慣性力の抵抗が大きくなり、送水効率が劣化するという課題もあった。
【００１２】
また、図示はしないが上記のこれらを改良したもので、特願平８−３２３０９３等があるが、フロートとシリンダが固着されているために、フロートの揺らぎ現象による動揺作用を、うまくピストンとシリンダの相対的往復動に取り入れることが出来なくて、装置の効率面で大きな問題があった。
【００１３】
そこで、本発明の目的は、上記課題を解決し、簡易な構造で効率よく半永久的に上層水と底層水とを混合し続けることや、空気に接続し、酸素の多く含まれた上層水を養殖場やそれ以外の送水目的の場所に送水すること、または、本発明の装置より得られる圧力水を利用して、海水揚水発電や海水淡水化等を行うことにより、省エネルギー、省資源の効果を発揮することのできる波力ポンプを提供することにある。
【００１４】
【課題を解決するための手段】
上記目的を達成するために本発明は、下部が水中に設けた管と連通し、上部が水面に向かって起立して延びる中空ピストン管を自在継手を介して傾倒可能に設け、該中空ピストン管の上部外周にピストン部を形成し、該ピストン部の外周に、その上方にシリンダ室を区画するシリンダを上下摺動自在に嵌合し、該シリンダに、そのシリンダを上下動させるためのフロートを設けると共に、そのシリンダとフロートは自在継手を介して接続され、波のエネルギーで作動し、水を送水する波力ポンプにおいて、
上記フロートのほぼ中心部に、一対の支持脚からなるサドルを設け、その一対の支持脚内に外軸を介してリング体をその外側の水平軸回りに回動自在に設け、そのリング体の内周に上記外軸と直交する位置で内軸を設け、そのリング体に、上記シリンダの上端に吊パイプを介して設けられた吊金物を挿通すると共に、その吊金物の外周に突出した回転軸が上記内軸の軸受け部に、挿通させると共に、回動可能に支持し、上記フロートと上記シリンダの角度変化を可能にした自在継手部に、上記吊金物と上記シリンダ上端に設けた吊パイプが嵌合し、上記シリンダの軸心と同心をなし、回動自在に設けられ、上記フロートと上記シリンダが角度変化と、回動自在に設けられるとよい。
【００１５】
そして、下部が水中に設けた管と連通し、上部が水面に向かって起立して延びる中空ピストン管を自在継手を介して傾倒可能に設け、該中空ピストン管の上部外周にピストン部を形成し、該ピストン部の外周に、その上方にシリンダ室を区画するシリンダを上下摺動自在に嵌合し、該シリンダに、そのシリンダを上下動させるためのフロートを設けると共に、そのシリンダとフロートは自在継手を介して接続され、上記シリンダ上部に水を取水するための取水口を設け、波のエネルギーで作動し、水面近傍の水を送水する波力ポンプにおいて、
上記フロートのほぼ中心部に、一対の支持脚からなるサドルを設け、その一対の支持脚内に外軸を介してリング体をその外側の水平軸回りに回動自在に設け、そのリング体の内周に上記外軸と直交する位置で内軸を設け、そのリング体に、上記シリンダの上端に吊パイプを介して設けられた吊金物を挿通すると共に、その吊金物の外周に突出した回転軸が上記内軸の軸受け部に、挿通させると共に、回動可能に支持し、上記フロートと上記シリンダの角度変化を可能にした自在継手部に、上記吊金物と上記シリンダ上端に設けた吊パイプが嵌合し、上記シリンダの軸心と同心をなし、回動自在に設けられ、上記フロートと上記シリンダが角度変化と、回動自在に設けられた自在継手部とを設け、
上記シリンダの上部に、取水口と取水用逆止弁とを設けると共に、波の動揺で上記フロートが動揺し、上記シリンダのシリンダ室が膨張時に上記取水用逆止弁が開き、収縮時に閉じるとよい。
【００１６】
また、下部が水中に設けた管と連通し、上部が水面に向かって起立して延びる中空ピストン管を自在継手を介して傾倒可能に設け、該中空ピストン管の上部外周にピストン部を形成し、該ピストン部の外周に、その上方にシリンダ室を区画するシリンダを上下摺動自在に嵌合し、該シリンダに、そのシリンダを上下動させるためのフロートを設けると共に、そのシリンダとフロートは自在継手を介して接続され、上記シリンダ上部に水を排水するための排水口を設け、波のエネルギーで作動し、水底近傍の低層水を汲み上げて水面近傍に送水する波力ポンプにおいて、
上記フロートのほぼ中心部に、一対の支持脚からなるサドルを設け、その一対の支持脚内に外軸を介してリング体をその外側の水平軸回りに回動自在に設け、そのリング体の内周に上記外軸と直交する位置で内軸を設け、そのリング体に、上記シリンダの上端に吊パイプを介して設けられた吊金物を挿通すると共に、その吊金物の外周に突出した回転軸が上記内軸の軸受け部に、挿通させると共に、回動可能に支持し、上記フロートと上記シリンダの角度変化を可能にした自在継手部に、上記吊金物と上記シリンダ上端に設けた吊パイプが嵌合し、上記シリンダの軸心と同心をなし、回動自在に設けられ、上記フロートと上記シリンダが角度変化と、回動自在に設けられた自在継手部とを設け、
上記シリンダ上部に水を排水するための排水口と、排水用逆止弁とを備え、波の動揺で上記フロートが動揺し、上記シリンダのシリンダ室が膨張時に上記排水用逆止弁が閉じ、収縮時に開くとよい。
【００１７】
【発明の実施の形態】
本発明の好適実施の形態を添付図面に基づいて詳述する。
【００１８】
図１は本発明の波力ポンプ１Ａの装置の構成およびその流れを示すフローシートである。この図のほぼ中心部で二点鎖線に囲まれた範囲が本発明の波力ポンプ１Ａに組み込まれる装置本体の部分である。また、二点鎖線に囲まれた範囲の下方左側には、このポンプの取水口２が水底部３近くに設けられ、これより本発明の波力ポンプ１Ａまでは取水管４で接続されている。
【００１９】
また、一方二点鎖線に囲まれた範囲の上方には水面Ｓがあり、その右方向の岸辺５には、叢生葦６が植えられている。本発明の波力ポンプ１Ａより吐出した水が送水管７に送られ、この管が岸辺５に植えられた叢生葦６の最奥部で解放され、ここで吐出水が放水されるものとする。したがって、この水は岸辺５の斜面を伝って叢生葦６の中を通り抜け水中８に戻される。
【００２０】
港湾等の閉鎖性水域や、ダム、湖沼等の環境問題が取り沙汰される今日において、これらの水底部３には富栄養化ならびに貧酸素化した汚染水が滞留しているにもかかわらず、その上に毎日のように陸上の河川等より運ばれて来る窒素やリン等の栄養塩類はこの水底部３に堆積していく。
【００２１】
この富栄養化した底層部の栄養塩類（汚染水）を本発明の波力ポンプ１Ａより取水し、岸辺５の叢生葦６等の根や茎部にかけることにより、植生の呼吸作用等を有効に利用して水を浄化しようとするものである。また、このときこの底層水には窒素やリン、ケイ素等の栄養分が多く含まれることから叢生葦等植物にとっては成長する過程のまたとない肥料となって成長する。
【００２２】
したがって、これらの植物等を成長させながら、これに大気中の二酸化炭素等を吸収させ、やがてはこの成長した植物は木炭等のようなエネルギー源として人々に有効利用される日も遠くはないものと思われる。
【００２３】
つぎに、二点鎖線で囲まれた範囲の波力ポンプ１Ａの説明を行う。この図の説明では、波力ポンプ１Ａの詳細な部分の説明は後記するものとして、フローシート上の基本的な部分の構成、作用のみの説明を行う。
【００２４】
この図の構成は、水面Ｓにフロート９が浮んでいるものとする。フロート９のほぼ中心部でその下方にはシリンダ１０が自在継手等を介して上記フロート９に接続されている。シリンダ１０の内部中程にはピストン１２が設けられ、これより上方をシリンダ室１１とする。このピストン１２と、水底部３に設けた連通管１３より傾倒可能に延びた中空ピストン管１４が接続されている。
【００２５】
フロート９が波により動揺するとピストン１２とシリンダ１０は相対的往復運動を引き起こし、中空ピストン管１４を通じて連通管１３内の水が吸引、吐出作用が誘発するものとする。
【００２６】
連通管１３の下方（図１の図中に於いて）には管１５、弁１６、取水用逆止弁１７、ヘッダー管１８、アキュムレーター１９、取水管４等が図のように接続されているものとする。したがって、取水口２より取水した水が、取水管４を通り、アキュムレーター１９を介して取水用逆止弁１７、弁１６、管１５を通り、連通管１３に入り、中空ピストン管１４を介してシリンダ１０内に入ることができるものとする。
【００２７】
また、一方連通管１３の上方（図１の図中に於いて）には管２０、送水用逆止弁２１、弁２２、ヘッダー管２３、アキュムレーター２４、送水管７等が図のように接続されているものとする。したがって、フロートの動揺により、シリンダ１０内の水は中空ピストン管１４を介して連通管１３に入り、管２０より送水用逆止弁２１、弁２２、ヘッダー管２３、アキュムレーター２４を介して装置の外部まで接続されている送水管７に送水されるものとする。
【００２８】
つぎに、この図の動作、作用を以下に説明する。
【００２９】
風が吹き、波が立ち、この波２５がフロート９に当ったとするとフロート９は前後左右、或いは上下に動揺し、この動きがシリンダ１０に伝えられる。シリンダ１０内に設けられたピストン１２、ならびに中空ピストン管１４は、水底より傾倒可能にて尚且つ上下に拘束された格好で支持されているために、ピストン１２とシリンダ１０には相対的往復動が生じる。したがって、シリンダ１０内のシリンダ室１１の容積は変化し、その都度その中の水は吸引、吐出作用を引き起こす。
【００３０】
今仮に、波２５の山が来てフロート９を上昇させたとすると、このフロート９に自在継手を介して接続されたシリンダ１０は上方に吊り上げられる。したがって、シリンダ１０内の容積は増えこれをまかなうためにシリンダ１０の内部では吸引作用を引き起こす。
【００３１】
この動作に対応するために、水底部３に滞溜する停滞水は取水口２より取水管４を通りアキュムレーター１９に入る。つぎに、アキュムレーター１９よりヘッダー管１８に入り、数分割化された管１５にそれぞれ設けられた取水用逆止弁１７、弁１６を介して連通管１３に入る。このとき、後記する送水用逆止弁２１は閉じる方向に働くためにこの弁より水の流入はない。
【００３２】
数分割化されたそれぞれの管１５よりヘッダー管１３に入った水は、中空ピストン管１４を介してシリンダ１０内に入る。
【００３３】
このとき、アキュムレーター１９は流体の流れの脈動流を平滑流に変換する作用を持っている。したがって、取水口２よりアキュムレーター１９までの流路においては、ある程度平滑化された平滑流となる。実際には、このときのアキュムレーター１９は、バキューム作用が生じているために、バキュームタンクと呼んでも差し支えない。
【００３４】
つぎに、波２５の谷が来てフロート９を降下させたとすると、シリンダ１０は降下する。したがって、シリンダ１０内のシリンダ室１１の水はピストン１２の作用により圧縮される。
【００３５】
圧縮されたこの水は中空ピストン管１４を通り、連通管１３に圧送される。つぎに、連通管１３に細分割化されたそれぞれの管２０より、このそれぞれの管２０に設けられた送水用逆止弁２１，弁２２を通り、ヘッダー管２３に送られる。このヘッダー管２３よりアキュムレーター２４を通り、ここで脈動流を平滑流に変換して送水管７に送られ、この端部より吐出する。
【００３６】
波力ポンプ１Ａは、ピストン式であるために装置内の水の流れは脈動流である。脈動流は水の流れの慣性力の抵抗が大きくこのままでは装置が効率良く作動しない。したがって、取水管の途中にアキュムレーター１９と、送水管の途中にもアキュムレーター２４を設けてできるだけ効率良く、できるだけ多くの水の流れの脈動流を平滑流に変換することが出来れば、装置の送水効率を著しく上昇させることが出来る。
【００３７】
つぎの説明は図２により行う。
【００３８】
図２は本発明の波力ポンプ１Ａが波により前後左右に動揺する場合の揺らぎ現象における動作を示した概略説明図である。
この図の構成ならびに作用を以下に説明する。
ただし、図１の説明の部分で本発明の波力ポンプ１Ａのフローシート上の機構の構成と、その波の上下運動における動作、作用の概略の説明は行ったので、その説明の繰り返しはしない。
【００３９】
先ず、図２の構成を以下に説明する。
水面Ｓ上に本発明の波力ポンプ１Ａのフロート９が浮べられている。詳細は後記するが、フロート９のほぼ中央部の下方には自在継手２９を介してシリンダ１０が釣り下げられている。フロート９は上下方向の運動が出来ない場合でも、揺らぎ現象によってはフロート９は、水平方向に９、９′、９″等のように自由に水平移動出来るものとする。
【００４０】
一方、水底部３には本発明の波力ポンプ１Ａのベースブロック２６が設置され、これに前記した連通管１３が固着されているものとする。連通管１３の上方には可撓伸縮管２７が設けられ、フランジ等を介して図のように接続されている。この可撓伸縮管２７の曲部における中心線上の交点、換言すれば自在継手の中心点をＡ点とする。つぎに、前記したシリンダ１０の内部にはピストン１２が設けられ、これと前記した可撓伸縮管２７は中空ピストン管１４を介して接続されている。
【００４１】
前記したフロート９が揺らぎ現象によって水平方向に９、９′、９″の各々の位置に移動した場合におけるピストン１２の移動位置を１２、１２′、１２″とし、そのときのピストン１２の頂部の中心点移動位置をＢ、Ｂ′、Ｂ″とする。また、前記したフロート９のほぼ中央部の下方に設けたシリンダ１０と、その接続部の自在継手における中心点の移動位置をＣ、Ｃ′、Ｃ″とする。
【００４２】
当然のことながら、以下同様にシリンダ１０は１０、１０′、１０″となり、シリンダ室１１は１１、１１′、１１″、中空ピストン管１４は１４、１４′、１４″となる。
【００４３】
詳細な機構の構成の説明は後記するが、ここでＡＢの長さは一定とすると、前記したフロート９が９、９′、９″のように移動した場合には、ピストン１２の頂部の中心点の移動はＢ、Ｂ′、Ｂ″のようにＡ点を中心として円弧を描く。
【００４４】
一方、本発明の装置は自然エネルギー利用装置であるために、必ずしもとは言えない場合があるが、一般的にフロート９は揺らぎ現象によって９、９′、９″のように水平方向に移動する。したがって、Ｃ点はフロート９の動きと同様に、水平方向にＣ、Ｃ′、  Ｃ″のように移動する。
【００４５】
ここで、図２中の２点間の距離ＢＣ、Ｂ′Ｃ′、Ｂ″Ｃ″をよく見てみると、この２点間の距離は常に変化している。この距離の変化がピストン１２とシリンダ１０の相対的往復動の作用となっている。したがって、その都度シリンダ１０内のシリンダ室１１の容積が変化し、これによって水の吸引、吐出作用が生じている。以後の説明は前記した図１の説明の部分で波の上下運動により、シリンダ１０内のシリンダ室１１の容積が変化して、水に吸引、吐出作用が生じた場合の説明とほぼ同じであるために、その説明の繰り返しはしない。
【００４６】
つぎの説明は図３、図４により行う。
【００４７】
図３は本発明の波力ポンプ１Ａの縦断面図、図４は図３のＺ−Ｚ線矢視部における平面図である。
図３、図４の説明においては、前記した図１のフローシートの説明とは違い実際に製品化した場合の設計図に近い図面で有るために、フローシート的なつながり、構成、作用等に判断しにくいところもあるが、その場合には、前記した図１、図２、ならびにその説明を再読していただきたい。
【００４８】
図３、図４に示す波力ポンプ１Ａは、図１、図２の説明の部分で構成、作用の説明を行った装置が海洋上もしくは閉鎖性水域等である港湾内の水底部３にベースブロック２６ａを介して設置されている。したがって、図１、図２の説明の部分で説明を行ったものに関してはその説明の繰り返しはしない。
【００４９】
波力ポンプ１Ａは、水面Ｓに向って起立して延びる中空ピストン管１４ａと、中空ピストン管１４ａの上部外周に形成されたピストン部１２Ａと、ピストン部１２Ａの上方にシリンダ室１１ａを区画するシリンダ１０ａと、シリンダ１０ａの上部に設けられたフロート９ａと、アキュムレーター１９、２４と、取水管側の逆止弁１７と、送水側のの逆止弁２１と、中空ピストン管１４を傾倒させるための自在継手２８Ａと、可撓伸縮管２７ａと、フロート９ａとシリンダ１０ａを自由自在に接続する自在継手２９Ａとからなる。
【００５０】
中空ピストン管１４ａは、ピストンロッド状の管であり、内部にはシリンダ室１１と後記する連通管１３とを結ぶ水路が形成されている。また、中空ピストン管１４ａは、ベースブロック２６ａに強固に固定されたサドル３０ａにその下部を自在継手２８Ａ（ユニバーサル機構）を介して傾倒可能に支持されている。尚、ユニバーサル機構の具体的な説明は後記するものとする。
【００５１】
ピストン部１２Ａは、中空ピストン管１４ａの上部外周を拡径するようにして、かつ、上下方向の長さを直径程度に長く形成されており、シリンダ１０ａ内で円滑に往復動するようになっている。ピストン部１２Ａは、上下方向に分割されてなる上部ピストン部３１ａ及び下部ピストン部３２ａと、上部ピストン部３１ａ及び下部ピストン部３２ａの中間部分に設けられた浮体３３ａとからなり、浮体３３ａの浮力により中空ピストン管１４ａをほぼ鉛直に起立させるようになっている。
【００５２】
シリンダ１０ａは、起立した筒体の上端に天井部を形成して塞いだ形状を有し、ピストン部１２Ａの外周に上下摺動自在に嵌合されている。シリンダ１０ａの天井部上方には、シリンダ１０ａがフロート９ａに自由自在に接続されるための自在継手２９Ａが設けられている。尚、これにおける具体的な説明は後記するものとする。
【００５３】
そして、シリンダ１０ａの下端にはリング状のストッパー３４ａが設けられている。そのストッパー３４ａの内径は、ピストン部１２Ａの外径よりも少し小さく形成されており、万一、フロート９ａが予測外に大きな動揺をおこしても、ストッパー３４ａがピストン部１２Ａに当たってピストン部１２Ａからシリンダ１０ａが抜けないようになっている。
【００５４】
また、シリンダ１０ａの下部外周には、ウェート３５ａが設けられており、シリンダ１０ａを常にほぼ鉛直に近い状態に起立させておくようになっている。
【００５５】
つぎに作用を述べる。
【００５６】
波により水面Ｓが上昇した場合、水面Ｓに浮いているフロート９ａも水面Ｓの上昇に伴って上昇する。このとき、シリンダ１０ａも同時に上昇し、シリンダ１０ａ内に区画形成されているシリンダ室１１ａの容積も大きくなる。そして、シリンダ室１１ａ内は膨張され、吸引作用が生じる。このため、シリンダ室１１ａ内の水圧は下がり、中空ピストン管１４ａ内の水路より、連通管１３を介して取水用逆止弁１７が開いてアキュムレーター１９、取水管４ａを通り図１に記載した取水口２より水がシリンダ室１１ａ内に流入する。このとき、送水用逆止弁２１は閉じたままであり、送水管７ａ側から中空ピストン管１４ａ内に水が逆流することはない。
【００５７】
そして、波が引き、水面Ｓが降下した場合、水面Ｓに浮いているフロート９ａは、水面Ｓの降下に伴って降下する。このとき、シリンダ１０ａも同時に降下し、シリンダ室１１ａ内の水に圧縮方向の力が働いて取水用逆止弁１７が閉じる。そして、シリンダ室１１ａ内の水が、中空ピストン管１４ａ内に押し込まれ、中空ピストン管１４ａ内の水すなわち水路内の水は、可撓伸縮管２７ａ、連通管１３を通り、送水用逆止弁２１を開けて、管２０、アキュムレーター２４を通り、送水管７ａより送水目的の目的地に送水されることとなる。このとき、取水用逆止弁１７は閉じたままであり、取水管４ａを逆流してシリンダ室１１ａ内のせっかく取水した水が外部に流れ出ることはない。
【００５８】
ただし、上記の説明は基本的な動作、作用の説明であって、取水管４、４ａならびに送水管７、７ａ等の途中にアキュムレーター等を設けて波力ポンプ１Ａならびに取水管４、４ａ、送水管７、７ａ内の流体の慣性力等を有効に利用して効率良く取水、送水する場合には、上述の作用と一致しないで流れる場合もある。例えば、波力ポンプ１Ａが作動を停止しているにもかかわらず、取水管、送水管内の水は共に進行するとか、取水管側のみ、もしくは送水管側のみ進行する場合もある。また、逆に波力ポンプが作動をしているにもかかわらず取水管、送水管内の水の流れは進行しないときもある。これらは、アキュムレーターの効果と慣性力の作用によるものである。
【００５９】
次に、図３、図４の説明の部分では説明しなかったが、この図に記された装置も当然のことながら、揺らぎ現象（図２の説明）が作用するが、その結果生じるピストンとシリンダの相対的往復動以後の説明は、前記した説明とほぼ同じでありその説明の繰り返しはしない。
【００６０】
また、ピストン部１２Ａを上部ピストン部３１ａ、下部ピストン部３２ａ及び浮体３３ａとからなるものとし、ピストン部１２Ａの下方に延びる中空ピストン管１４ａの下端を自在継手２８Ａ（ユニバーサル機構）を介して動揺自在に支持するために、中空ピストン管１４ａをほぼ鉛直に起立させることができ、さらにピストン部１２Ａの上下方向の長さを直径程度に長く形成するために、ピストン部１２Ａをシリンダ１０ａ内で円滑に相対的往復運動をさせることができる。
【００６１】
そして、中空ピストン管１４ａの内側に水路を形成し、その水路の下方にシリンダ室１１ａの水を出入りさせて送水するようにしたために、フロート９ａの上下左右前後の運動によりシリンダ室１１ａ内の水の圧力がプラス、マイナスすなわち、吐出、吸引作用を繰り返しても、この吐出、吸引作用の作用、反作用の全ての力を中空ピストン管１４ａに直接作用させて支持するのではなくて、水路内の水の圧力現象に作用させて連通管１３内の水を介して、取水、送水させるためのエネルギーに変換されることから、中空ピストン管１４ａの耐久力を著しく増すことができる。
次に他の実施の形態を添付図面に基づいて述べる。
【００６２】
図５は本発明の波力ポンプにおける中空ピストン管１４を支持、傾倒させるための自在継手２８の平面図であり図６は図５のＹ−Ｙ線矢視における縦断面図である。
図５、図６の自在継手２８（ユニバーサル機構）の構成を以下に説明する。
【００６３】
自在継手２８（ユニバーサル機構）は、具体的には、中空ピストン管１４の外周を環状に囲むリングの径方向内方と外方とにそれぞれ平面視十字状に交叉するように内軸４０を支持し、外軸４１を突出させてリング体４２を形成しする。リング体４２の径方向内方に設けた軸受４３に回転可能にした内軸４０を中空ピストン管１４の下部外周に固定し、支持させると共に、リング体４２の径方向外方に突出する外軸４１を図面上で左右のそれぞれのサドル３０に回動可能に支持させてなる自在継手である。
【００６４】
サドル３０は、リング体４２の径方向外側を挟むようにベースブロック２６に起立して固着された一対の支持脚であり、それぞれのサドル３０の上部には、リング体４２の外軸４１を回動可能に支持するための軸穴４４が互いに向き合うように形成されている。
【００６５】
図５においてリング体４２ならびに中空ピストン管１４の中心であり、リング体４２の外軸４１とリング体４２の内軸４０の交叉する点をＡ点とする。また、図６においてもリング体４２の外軸４１の中心と、リング体４２の内軸４０の中心の一致する点をＡ点とする。すなわち、このＡ点は図２の説明におけるＡ点とも一致することになる。
【００６６】
つぎに作用を述べる。
【００６７】
自在継手２８（ユニバーサル機構）は平面視十字状に交叉するように２本の軸を配置し、そのそれぞれの軸を回動可能にすることにより、中空ピストン管１４はＡ点を支点として３６０°どの方向にでも傾倒することができる。ただし、上下方向の移動はできないものとする。
【００６８】
つぎの説明は図７、図８により行う。
【００６９】
図７は本発明の波力ポンプ１Ａにおけるフロート９とシリンダ１０の自在継手部２９の詳細平面図であり、図８は図７のＸ−Ｘ線矢視における縦断面図である。
図７、図８の自在継手２９（ユニバーサル機構）の構成を以下に説明する。
【００７０】
自在継手２９（ユニバーサル機構）は、具体的には、シリンダ１０の上端に設けた吊金物５０の外周を環状に囲むリング体５３の径方向内方と外方とにそれぞれ平面視十字状に交叉するように内軸５１及び外軸５２を突出させてリング体５３を形成し、リング体５３の径方向内方に貫通する内軸５１をリング体５３の内側に向き合って形成された軸受５４に回動可能に支持させると共に、リング体５３の径方向外方に突出する外軸５２をそれぞれサドル５５に設けた軸受５７に回動可能に支持させてなる自在継手である。
【００７１】
サドル５５は、リング体５３の径方向外側を挟むようにフロート９に設けたリング環５６にボルト等で固着された一対の支持脚であり、それぞれサドル５５の下部には、リング体５３の外軸５２を回動可能に支持するための軸受５７の軸穴５８が互いに向き合うように形成されている。
【００７２】
吊金物５０の内部には、リング体５３を貫通する内軸５１を通すためのスペーサー５９が、しっかりと吊金物５０に溶接等で固着されている。貫通する内軸５１が軸受５４から抜け落ちないための手段として、ピン６０が前記したスペーサー５９と内軸５１のほぼ中央部に設けられた貫通穴６１に通され、その下端はスペーサー５９の下端に溶接等で固着されたナット６２等にねじ込まれている。装置が動揺する際に生じる、ネジの締め付け部の緩み等を防止するための手段として、スプリングワッシャー等の手段も設けられているものとする。
【００７３】
吊金物５０の下端近くにはスラスト板６３が設けられている。また一方、吊金物５０とほぼ同心をなし、その下端近くには前記したスラスト板６３と互いに向き合うスラスト板６４が、設けられた吊パイプ６５が、ほぼ鉛直に回動可能に設けられ、その下端は前記したシリンダ１０の天井部に固着されている。互いに向き合うスラスト板６３と６４の間には、摩擦減少機構として樹脂、プラスチック、または金属等で作ったリング状のライナー等も設けられている。したがって、フロート９とシリンダ１０は、この部分で回動可能の状態にあるものとする。
【００７４】
吊パイプ６５の中程には、リング状のサドル板６６が吊パイプ６５に固着され、このサドル板の上面と、前記した吊金物５０の下端とは、回動可能とするために、この間に摩擦減少機構として樹脂、プラスチック、金属板等で作ったリング状のライナー等も設けられているものとする。
【００７５】
吊パイプ６５の内側でシリンダ１０の天井部の上面にはベントノズル６７と逆止弁６８が設けられている。ベントノズル６７と逆止弁６８は、でき得るかぎり小口径のものとするのが好ましいが、できない場合は、制限オリフィス等を設けて穴を縮小してもよい。
【００７６】
つぎに作用を述べる。
【００７７】
自在継手２９（ユニバーサル機構）は、平面視十字状に交叉するリング体５３に設けた貫通する内軸５１と、外軸５２が回動作用を引き起こすことにより、フロート９とシリンダ１０は、自由な角度に変形することができる。また、この角度の変形が設計限界を越えようとしたときには、ストッパー６９の作用で動作を制限させることができる。
【００７８】
つぎに吊金物５０と吊パイプ６５は、前記した通り、回動可能となっていることから、フロート９とシリンダ１０は、いつでも簡単に回動作用を引き起こすことができる。これらの作用効果により、不規則且つ変動幅の大きい自然エネルギーである波浪エネルギーを、効率良く有効にポンプ作用として利用することができる。
つぎに他の実施の形態を添付図面に基づいて述べる。
【００７９】
図９は本発明の他の実施の形態を示す波力ポンプの側断面図である。
図９に示すように、波力ポンプ１Ｂは、海洋上もしくは閉鎖性水域等である港湾内にベースブロック２６ｂを介して設置されている。この波力ポンプ１Ｂは、これまでに詳細な説明を行った波力ポンプ１Ａとほぼ同様の原理、構成、作用の装置であるために、以後の説明の重複する部分の説明は行わず、相違する部分の説明のみを行う。
【００８０】
波力ポンプ１Ｂは、水面Ｓに向って起立して延びる中空ピストン管１４ｂと、中空ピストン管１４ｂの上部外周に形成されたピストン部１２Ｂと、ピストン部１２Ｂの上方にシリンダ室１１ｂを区画するシリンダ１０ｂと、シリンダ１０ｂの上部に角度変化と回動自在に設けられたフロート９ｂと、シリンダ室１１ｂに上層水を導水する取水管４ｂと、この上層水を送水する送水管７ｂとからなる。
【００８１】
中空ピストン管１４ｂは、ピストンロッド状の管であり、内部にはシリンダ室１１ｂと後記する送水管７ｂとを結ぶ水路が形成されている。また、中空ピストン管１４ｂは、ベースブロック２６ｂに強固に固定されたサドル３０ｂに、その下部を自在継手２８Ｂ（ユニバーサル機構）を介して傾倒可能に支持されている。
【００８２】
また、中空ピストン管１４ｂの下部は、水底部３に沿って設けられた送水管７ｂに屈曲可能な可撓伸縮管２７ｂと連通管１３ｂを介して接続されている。送水管７ｂには送水用逆止弁２１ｂが接続されており、シリンダ室１１ｂの水は中空ピストン管１４ｂから流出する方向だけに水を流すようになっている。
【００８３】
取水管４ｂは、シリンダ室１１ｂの上側部から径方向放射状に延びるように接続されると共に、フランジ部からすぐ下方に屈曲されてシリンダ１０ｂに沿って下方に延びてその延長端には、上層水を取り込むための取水口２ｂが下方を向いて形成されている。
【００８４】
また、取水口２ｂには、サクションストレーナー２ｂｓが設けられると共に、取水用逆止弁１７ｂが設けられている。サクションストレーナー２ｂｓは、取水を整流すると共に取水管４ｂ内への異物等の混入を防ぐためのものであり、取水口２ｂに一体に設けられている。取水用逆止弁１７ｂは、シリンダ室１１ｂに流入する方向だけに水を流すようにするためのものであり、サクションストレーナー２ｂｓの下流側に設けられている。
【００８５】
つぎに作用を述べる。
【００８６】
波２５により水面Ｓが上昇した場合、水面Ｓに浮いているフロート９ｂも水面Ｓの上昇に伴って上昇する。このとき、シリンダ１０ｂも同時に上昇し、シリンダ１０ｂ内に区画形成されているシリンダ室１１ｂの容積も大きくなる。そして、シリンダ室１１ｂ内は膨張され、バキューム作用が生じる。このため、シリンダ室１１ｂ内の水圧は下がり、取水用逆止弁１７ｂが開いてサクションストレーナー２ｂｓ及び取水管４ｂを介して水がシリンダ室１１ｂ内に流入する。このとき、送水用逆止弁２１ｂは閉じたままであり、送水管７ｂ側から中空ピストン管１４ｂ内に水が逆流することはない。
【００８７】
そして、波が引き、水面Ｓが下降した場合、水面Ｓに浮いているフロート９ｂは、水面Ｓの下降に伴って下降する。このとき、シリンダ１０ｂも同時に降下し、シリンダ室１１ｂ内の水に圧縮方向の力が働いて、取水用逆止弁１７ｂが閉じる。そして、シリンダ室１１ｂ内の水が、中空ピストン管１４ｂ内に押し込まれ、中空ピストン管１４ｂ内の水は、連通管１３ｂ内に押し込まれる。このため、連通管１３ｂ内の水圧は上がり、送水用逆止弁２１ｂが開いて、送水管７ｂ内の水が吐出ノズル７２ｂから吐出して、水底部で人工湧昇流を生じさせたり、または、目的地に送水されたりすることとなる。このとき、取水用逆止弁１７ｂは閉じたままであり、取水管４ｂからシリンダ室１１ｂ内の水が流れ出ることはない。
【００８８】
ただし、前記した通り、連通管１３ｂと送水管７ｂに接続する送水用逆止弁２１ｂの下流側にアキュムレーター等を設けて送水管７ｂ内の流体の慣性力等を有効に利用して送水する場合には、上述の作用と一致しない場合もあるが、基本的にはこの作動となる。
【００８９】
さらに、他の実施の形態を添付図面に基づいて述べる。
【００９０】
図１０は本発明の他の実施の形態を示す波力ポンプの側断面図である。
図１０に示すように、波力ポンプ１Ｃは、水底近傍の底層水を汲み上げて水面Ｓ近傍の上層水と混合するものであり、水面Ｓに向って起立して延びる中空ピストン管１４ｃと、中空ピストン管１４ｃの上部外周に形成されたピストン部１２Ｃと、ピストン部１２Ｃの上方にシリンダ室１１ｃを区画するシリンダ１０ｃと、シリンダ１０ｃの上部に自在継手２９Ｃ（ユニバーサル機構）を介して設けられたフロート９ｃと、シリンダ室１１ｃ内の底層水を水面Ｓ近傍に流す排水管７０ｃとからなる。
【００９１】
中空ピストン管１４ｃは、ピストンロッド状の管であり、内部にはシリンダ室１１ｃと後記する取水管４ｃとを結ぶ水路が形成されている。また、中空ピストン管１４ｃは、ベースブロック２６ｃに強固に固定されたサドル３０ｃに自在継手２８Ｃ（ユニバーサル機構）を介して傾倒可能に支持されており、中空ピストン管１４ｃの下部は、水底部３に沿って設けられた取水管４ｃに接続された連通管１３ｃと、可撓伸縮管２７ｃとが接続されている。
【００９２】
取水管４ｃの先端には取水口２ｃが設けられており、取水口２ｃもしくは取水管４ｃの下流側には中空ピストン管１４ｃに流入する方向にだけ水を流す取水用逆止弁１７ｃが設けられている。サクションストレーナー２ｃｓは取水口２ｃの上部に被せられた網であり、取水を整流すると共に取水管４ｃ内への異物の混入を防ぐためのものであり、取水管４ｃの端部に一体に設けられている。
【００９３】
排水管７０ｃは、シリンダ１０ｃの天井部近くから水平方向に延びるように接続されると共に、平面視放射状に延びる管である。排水管７０ｃの延長端には、水を排出するための排水口７１ｃが水平方向を向いて形成されており、排水口７１ｃは水面Ｓのやや下方に位置されている。また、この排水口７１ｃには異物等が入らぬようなストレーナー等の対策もとられている。
【００９４】
排水管７０ｃの端部に設けた排水口７１ｃの近傍には、シリンダ１０ｃのシリンダ室１１ｃから流出する方向にのみ水を流す排水用逆止弁２１ｃが設けられており、上層水がシリンダ１０ｃのシリンダ室１１ｃ内に逆流しないようになっている。
【００９５】
つぎに作用を述べる。
【００９６】
波２５により水面Ｓが上昇した場合、フロート９ｃとシリンダ１０ｃは上昇し、シリンダ室１１ｃ内が膨張され、バキューム作用が生じる。このため、シリンダ室１１ｃ内の水圧は下がり、取水用逆止弁１７ｃが開いてサクションストレーナー２ｃ及び取水管４ｃを介して底層水が中空ピストン管１４ｃ及びシリンダ室１１ｃ内に流入する。このとき、排水用逆止弁２１ｃは閉じたままであり、排水管７０ｃ側からシリンダ１１ｃ内に上層水が逆流することはない。
【００９７】
波２５が通り過ぎ水面Ｓが下降した場合、フロート９ｃとシリンダ１０ｃは下降し、シリンダ室１１ｃ内の水に圧縮方向の力が働いて取水用逆止弁１７ｃが閉じる。そして、シリンダ室１１ｃ内の水の水圧が上がり、排水用逆止弁２１ｃが開き、排水管７０ｃ内の水が水面Ｓ近傍に排出される。このとき、排水口７１ｃが水面Ｓ下に位置されているためにヘッド差によるロスは少なく、かつ、中空ピストン管１４ｃが上下方向に動くこともないために、安定して送水されることとなる。また、このとき取水用逆止弁１７ｃは閉じたままであり、取水管４ｃからシリンダ室１１ｃ内の水が流れ出ることはない。
【００９８】
ただし、図１に示す波力ポンプ１Ａと同様に、取水管４ｃに設けた取水用逆止弁１７ｃの上流側にアキュムレーター等を設けて取水管４ｃ内の流体の慣性力等を有効に利用して送水する場合には、上述の作用と一致しない場合もあるが基本的にはこの作動となる。
【００９９】
このように、下部が水底近傍に設けた取水用逆止弁１７ｃに接続する取水管４ｃと連通管１３ｃを介して連通すると共に、上部が水面Ｓに向って起立して延びる中空ピストン管１４ｃを傾倒可能に設け、中空ピストン管１４ｃの上部外周にピストン部１２Ｃを形成し、ピストン部１２Ｃの外周に、その上方にシリンダ室１１ｃを区画するシリンダ１０ｃを上下摺動自在に嵌合する。シリンダ１０ｃに、そのシリンダ１０ｃを前後左右と上下運動させるためのフロート９ｃと自在継手２９Ｃ（ユニバーサル機構）を設け、上記シリンダ１０ｃに、シリンダ室１１ｃ内の底層水を排水用逆止弁２１ｃを介して上層水に流す排水管７０ｃを接続して波力ポンプ１Ｃを構成したため、簡易な構造で容易かつ効率良く底層水を水面Ｓ近傍まで汲み上げることができる。
【０１００】
また、排水口７１ｃを水面Ｓ下に位置させたために、ヘッド差によるロスは少なく、大量の底層水を効率良く、かつ、安定して上層水に混合させることができる。
【０１０１】
【発明の効果】
以上要するに本発明によれば、つぎのような優れた効果を奏する。
【０１０２】
（１）請求項１に記載の発明によれば、波による揺らぎ現象や、波の上下運動エネルギーを有効に利用して水底近傍の水を効率良く養殖場や送水目的の目的地に送水することができる。
【０１０３】
（２）請求項２に記載の発明によれば、波による揺らぎ現象や、波の上下運動エネルギーを有効に利用して、簡易な構造で効率良く水面近傍の水を送水目的の目的地に送水することができる。
【０１０４】
（３）請求項３に記載の発明によれば、波による揺らぎ現象や、波の上下運動エネルギーを有効に利用して、簡易な構造で容易かつ効率良く水底近傍の水を水面近傍まで汲み上げて、上下の水を循環させることができる。
【図面の簡単な説明】
【図１】本発明の好適実施の形態を示す波力ポンプ１Ａの装置の構成及びその流れを示すフローシートである。
【図２】本発明の好適実施の形態を示す波力ポンプ１Ａが波により前後左右に動揺する場合の揺らぎ現象における動作を示した概略説明図である。
【図３】本発明の好適実施の形態を示す波力ポンプ１Ａの縦断面図である。
【図４】図３のＺ−Ｚ線矢視部における平面図である。
【図５】本発明の波力ポンプにおける中空ピストン管１４を支持、傾倒させるための自在継手２８の平面図である。
【図６】図５のＹ−Ｙ線矢視部における縦断面図である。
【図７】本発明の波力ポンプ１Ａにおけるフロート９とシリンダ１０の自在継手２９の平面図である。
【図８】図７のＸ−Ｘ線矢視部における縦断面図である。
【図９】本発明の他の実施の形態を示す波力ポンプの側断面図である。
【図１０】本発明の他の実施の形態を示す波力ポンプの側断面図である。
【図１１】従来の波力ポンプの側断面図である。
【符号の説明】
１Ａ  波力ポンプ
１Ｂ  波力ポンプ
１Ｃ  波力ポンプ
Ｓ  水面
２、２ａ、２ｂ、２ｃ  取水口
２ｂｓ、２ｃｓ  サクションストレーナー
３  水底部
４、４ａ、４ｂ、４ｃ  取水管
５  岸辺
６  叢生葦
７、７ａ、７ｂ、７ｃ  送水管
８  水中
９、９ａ、９ｂ、９ｃ  フロート
１０、１０ａ、１０ｂ、１０ｃ  シリンダ
１１、１１ａ、１１ｂ、１１ｃ  シリンダ室
１２、１２Ａ、１２Ｂ、１２Ｃ  ピストン
１３、１３ａ、１３ｂ、１３ｃ  連通管
１４、１４ａ、１４ｂ、１４ｃ  中空ピストン管
１５  管
１６  弁
１７、１７ａ、１７ｂ、１７ｃ  取水用逆止弁
１８  ヘッダー管
１９  アキュムレーター
２０  管
２１、２１ａ、２１ｂ、２１ｃ  送水用逆止弁
２２  弁
２３  ヘッダー管
２４  アキュムレーター
２５  波
２６、２６ａ、２６ｂ、２６ｃ  ベースブロック
２７、２７ａ、２７ｂ、２７ｃ  可撓伸縮管
２８、２８Ａ、２８Ｂ、２８Ｃ  自在継手
２９、２９Ａ、２９Ｂ、２９Ｃ  自在継手
３０、３０ａ、３０ｂ、３０ｃ  サドル
３１ａ  上部ピストン部
３２ａ  下部ピストン部
３３ａ  浮体
３４ａ  ストッパー
３５ａ  ウェート
４０  内軸
４１  外軸
４２  リング体
４３  軸受
４４  軸穴
５０  吊金物
５１  内軸
５２  外軸
５３  リング体
５４  軸受
５５  サドル
５６  リング環
５７  軸受
５８  軸穴
５９  スペーサー
６０  ピン
６１  貫通穴
６２  ナット
６３  スラスト板
６４  スラスト板
６５  吊パイプ
６６  サドル板
６７  ベントノズル
６８  逆止弁
６９  ストッパー
７０ｃ  排水管
７１ｃ  排水口
７２ｂ  吐出ノズル
９０  波力ポンプ
９１  シリンダー
９２  ピストン
９３  チェーン
９４  フロート
９５  取水管
９６  ジョイントリングのリング管
【図１】
0004280880.tif 000002
【図２】
0004280880.tif 000003
【図３】
0004280880.tif 000004
【図４】
0004280880.tif 000005
【図５】
0004280880.tif 000006
【図６】
0004280880.tif 000007
【図７】
0004280880.tif 000008
【図８】
0004280880.tif 000009
【図９】
0004280880.tif 000010
【図１０】
0004280880.tif 000011
【図１１】
0004280880.tif 000012